(57)【要約】【課題】載置された被写体を照明しつつ撮影可能な撮影システムにおいて操作者の負担を軽減できる光源装置の技術を提供する。【解決手段】撮影システムは、載置された被写体ＯＢを撮影するデジタルカメラ１０と、被写体ＯＢを照明する照明部２０５とを備えている。この照明部２０５は、光源３１と２枚のパネル(レンズ)３２と、スリット状のパターンを有するプレート３３とを備えている。照明部２０５は、初期状態ではエリアＥ１を照明するが、ズーミングされた場合にはパネル３２を駆動してエリアＥ２に照明範囲を絞り込む動作を行う。また、ＡＦ時には、プレート３２をパネル３２ｂの前方に移動し、被写体ＯＢをパターンＰＴで照明するＡＦ補助光を発する動作を行う。以上のようにデジタルカメラ１０の動作状況に応じて照明部２０５を制御すれば、操作者の負担を軽減できる。【選択図】図１０
2005062753.tif 000002
【特許請求の範囲】
【請求項１】
所定の載置エリアに載置された被写体を撮影レンズを介して撮影する撮影部と、前記所定の載置エリアの上方で前記撮影部を支持する支持手段とを備える撮影システムにおいて前記所定の載置エリアに載置された被写体を照明可能な照明装置であって、
(a)照明状態を変更可能な照明手段と、
(b)撮影に係る前記撮影部の動作状況を検出する検出手段と、
(c)前記検出手段で検出された前記撮影部の動作状況に応じて、前記照明手段の照明状態を制御する制御手段と、
を備えることを特徴とする照明装置。
【請求項２】
請求項１に記載の照明装置において、
前記検出手段は、
(b-1)前記撮影部でオートフォーカス動作が行われているか否かを検出する手段、
を有し、
前記制御手段は、
(c-1)前記オートフォーカス動作が行われている状況では、前記照明手段により前記被写体を所定の投光パターンで照明する手段、
を有することを特徴とする照明装置。
【請求項３】
請求項１または請求項２に記載の照明装置において、
前記検出手段は、
(b-2)前記撮影レンズに係る焦点距離の状況を検出する手段、
を有し、
前記制御手段は、
(c-2)前記焦点距離の状況に応じて、前記照明手段の投光角を変化させる手段、
を有することを特徴とする照明装置。
【請求項４】
請求項１ないし請求項３のいずれかに記載の照明装置において、
前記検出手段は、
(b-3)前記撮影部から前記被写体までの距離の計測状況を検出する手段、
を有し、
前記制御手段は、
(c-3)前記距離の計測状況に応じて、前記照明手段の投光角を変化させる手段、
を有することを特徴とする照明装置。
【請求項５】
請求項１ないし請求項４のいずれかに記載の照明装置において、
前記検出手段は、
(b-4)前記撮影部で撮影が行われない状況であるか否かを検出する手段、
を有し、
前記制御手段は、
(c-4)前記撮影部で撮影が行われない状況に移行した場合には、前記照明手段の投光方向を変更する手段、
を有することを特徴とする照明装置。
【請求項６】
撮影システムであって、
(a)所定の載置エリアに載置された被写体を撮影する撮影部と、
(b)前記所定の載置エリアの上方で前記撮影部を支持する支持手段と、
(c)前記所定の載置エリアを照明可能な照明部と、
(d)撮影に係る前記撮影システムの動作状況を検出する検出手段と、
(e)前記検出手段で検出された前記撮影システムの動作状況に応じて、前記照明手段の照明状態を制御する制御手段と、
を備えることを特徴とする撮影システム。
【請求項７】
請求項６に記載の撮影システムにおいて、
前記支持手段は、
(b-1)前記所定の載置エリアの近傍に配置される基台と、
(b-2)前記基台に連結するとともに、伸縮自在に前記撮影部および／または前記照明部を支持する支柱と、
を有し、
前記制御手段は、
(e-1)前記支柱の伸縮に応じて、前記照明手段の投光角を変化させる手段、
を有することを特徴とする撮影システム。
【請求項８】
請求項６または請求項７に記載の撮影システムにおいて、
前記検出手段は、
(d-1)前記所定の載置エリアから前記被写体が除去されたか否かを検出する手段、
を有し、
前記制御手段は、
(e-2)前記被写体が除去された状況に移行する場合には、前記照明部の投光方向を変更する手段、
を有することを特徴とする撮影システム。
【発明の詳細な説明】
【技術分野】
【０００１】
本発明は、所定の載置エリアに載置された撮影対象の被写体を照明する光源装置の技術に関する。
【背景技術】
【０００２】
特定の光源で照明しつつ載置された紙原稿等の被写体を支持台に固定されたカメラ部で撮影する書画カメラシステム（撮影システム）が知られている。この撮影システムで撮影して得られた電子的な画像データについては、例えば該画像データを加工した後に記憶装置に記憶させてドキュメントの電子ファイリングを行ったり、該画像データをプリンタで別の紙に印刷して複写物を得たり、該画像データをプロジェクタでスクリーンに投影してプレゼンテーションを行ったりなど、様々な用途に利用される。
【０００３】
このような撮影システムにおいては、操作性の向上を図るためにカメラ部の撮影方向に応じて照明光源のオン・オフを行う技術が、例えば特許文献１に開示されている。
【０００４】
【特許文献１】特許第２７９１７００号公報
【発明の開示】
【発明が解決しようとする課題】
【０００５】
上記の特許文献１に記載される技術では、カメラ部の撮影方向と照明光源のオン・オフとを単に連動させるものであるため、適切な照明光源の制御が行われているとは限らない。
【０００６】
また、カメラ部で撮影された画像をプロジェクタに投影してプレゼンテーションを行う際に、照明光源の操作などを行うのは、プレゼンターの負担が増大する。このような場合においては、カメラ部の動作状態に応じて照明光源を自動的に制御できれば、プレゼンター(操作者)の負担が軽減できるものと考えられる。
【０００７】
本発明は、上記課題に鑑みてなされたものであり、載置された被写体を照明しつつ撮影可能な撮影システムにおいて操作者の負担を軽減できる光源装置の技術を提供することを目的とする。
【課題を解決するための手段】
【０００８】
上記の課題を解決するため、請求項１の発明は、所定の載置エリアに載置された被写体を撮影レンズを介して撮影する撮影部と、前記所定の載置エリアの上方で前記撮影部を支持する支持手段とを備える撮影システムにおいて前記所定の載置エリアに載置された被写体を照明可能な照明装置であって、(a)照明状態を変更可能な照明手段と、(b)撮影に係る前記撮影部の動作状況を検出する検出手段と、(c)前記検出手段で検出された前記撮影部の動作状況に応じて、前記照明手段の照明状態を制御する制御手段とを備える。
【０００９】
また、請求項２の発明は、請求項１の発明に係る照明装置において、前記検出手段は、(b-1)前記撮影部でオートフォーカス動作が行われているか否かを検出する手段を有し、前記制御手段は、(c-1)前記オートフォーカス動作が行われている状況では、前記照明手段により前記被写体を所定の投光パターンで照明する手段を有する。
【００１０】
また、請求項３の発明は、請求項１または請求項２の発明に係る照明装置において、前記検出手段は、(b-2)前記撮影レンズに係る焦点距離の状況を検出する手段を有し、前記制御手段は、(c-2)前記焦点距離の状況に応じて、前記照明手段の投光角を変化させる手段を有する。
【００１１】
また、請求項４の発明は、請求項１ないし請求項３のいずれかの発明に係る照明装置において、前記検出手段は、(b-3)前記撮影部から前記被写体までの距離の計測状況を検出する手段を有し、前記制御手段は、(c-3)前記距離の計測状況に応じて、前記照明手段の投光角を変化させる手段を有する。
【００１２】
また、請求項５の発明は、請求項１ないし請求項４のいずれかの発明に係る照明装置において、前記検出手段は、(b-4)前記撮影部で撮影が行われない状況であるか否かを検出する手段を有し、前記制御手段は、(c-4)前記撮影部で撮影が行われない状況に移行した場合には、前記照明手段の投光方向を変更する手段を有する。
【００１３】
また、請求項６の発明は、撮影システムであって、(a)所定の載置エリアに載置された被写体を撮影する撮影部と、(b)前記所定の載置エリアの上方で前記撮影部を支持する支持手段と、(c)前記所定の載置エリアを照明可能な照明部と、(d)撮影に係る前記撮影システムの動作状況を検出する検出手段と、(e)前記検出手段で検出された前記撮影システムの動作状況に応じて、前記照明手段の照明状態を制御する制御手段とを備える。
【００１４】
また、請求項７の発明は、請求項６の発明に係る撮影システムにおいて、前記支持手段は、(b-1)前記所定の載置エリアの近傍に配置される基台と、(b-2)前記基台に連結するとともに、伸縮自在に前記撮影部および／または前記照明部を支持する支柱とを有し、前記制御手段は、(e-1)前記支柱の伸縮に応じて、前記照明手段の投光角を変化させる手段を有する。
【００１５】
また、請求項８の発明は、請求項６または請求項７の発明に係る撮影システムにおいて、前記検出手段は、(d-1)前記所定の載置エリアから前記被写体が除去されたか否かを検出する手段を有し、前記制御手段は、(e-2)前記被写体が除去された状況に移行する場合には、前記照明部の投光方向を変更する手段を有する。
【発明の効果】
【００１６】
請求項１ないし請求項５の発明によれば、検出手段で検出された撮影部の動作状況に応じて照明手段の照明状態を制御するため、照明操作に関して操作者の負担を軽減できる。
【００１７】
特に、請求項２の発明においては、オートフォーカス動作が行われている状況では照明手段により被写体を所定の投光パターンで照明するため、操作者に負担をかけずにオートフォーカス動作を適切に行える。
【００１８】
また、請求項３の発明においては、撮影レンズに係る焦点距離の状況に応じて照明手段の投光角を変化させるため、操作者に負担をかけずにズーム動作に対して適切な照明を提供できる。
【００１９】
また、請求項４の発明においては、撮影部から被写体までの距離の計測状況に応じて照明手段の投光角を変化させるため、操作者に負担をかけずに撮影部から被写体までの距離に応じた適切な照明を提供できる。
【００２０】
また、請求項５の発明においては、撮影部で撮影が行われない状況に移行した場合には照明手段の投光方向を変更するため、操作者に負担をかけずに適切な照明を行える。
【００２１】
また、請求項６ないし請求項８の発明によれば、検出手段で検出された撮影システムの動作状況に応じて照明手段の照明状態を制御するため、照明操作に関して操作者の負担を軽減できる。
【００２２】
特に、請求項７の発明においては、支柱の伸縮に応じて照明手段の投光角を変化させるため、操作者に負担をかけずに支柱の伸縮に応じた適切な照明を提供できる。
【００２３】
また、請求項８の発明においては、被写体が除去された状況に移行する場合には照明手段の投光方向を変更するため、操作者に負担をかけずに被写体の除去に伴う適切な照明を行える。
【発明を実施するための最良の形態】
【００２４】
以下、本発明の実施形態を図面に基づいて説明する。
【００２５】
＜撮影システムの全体構成＞
図１は、本発明の実施形態に係る撮影システム１の全体構成を示す図である。
【００２６】
撮影システム１は、書画（ドキュメント）や小物品などの被写体を、載置エリアとして働く被写体載置用スペースＰに載置し、当該被写体載置用スペースＰの上方の比較的近距離から、当該被写体を撮影するダウンフェース撮影用の近接撮影システムである。また、撮影システム１は、被写体載置用スペースＰに載置された紙原稿等の被写体ＯＢを一定の距離を保ちながら撮影して、電子的な画像データを生成可能なように構成される。撮影システム１は、後述するインターフェースに電気的に接続されたパーソナルコンピュータやプリンタやプロジェクタ等に生成した画像データを出力可能である。
【００２７】
撮影システム１は、被写体ＯＢの像を光電変換して電子的な画像データを生成する撮影部として働くデジタルカメラ１０と、デジタルカメラ１０を被写体ＯＢから一定距離だけ上方に離れた位置に支持する支持手段として機能する支持台２０とを備える。デジタルカメラ１０は、図５に示すように、支持台２０から分離可能であり、分離された場合は、比較的に遠方に位置する被写体の撮影も可能な通常のデジタルカメラとして使用可能である。支持台２０は、被写体載置用スペースＰの辺縁に沿って伸びた接地脚を持つ、ダウンフェース撮影用のカメラ支持スタンドである。
【００２８】
以下では、撮影システム１を構成するデジタルカメラ１０および支持台２０の構成をまず別々に説明する。
【００２９】
＜デジタルカメラ１０の構成＞
図２および図３は、デジタルカメラ１０の外観構成を示す図である。図２はデジタルカメラ１０をその前面側からみた斜視図であり、図３はデジタルカメラ１０をその背面側からみた斜視図である。
【００３０】
図２に示すように、デジタルカメラ１０の前面側には、被写体像を取得するための撮影レンズ１０１が設けられている。
【００３１】
さらに、デジタルカメラ１０の前面側には、撮影時に被写体に照明光を照射する内蔵フラッシュ１０９が設けられている。内蔵フラッシュ１０９は、デジタルカメラ１０の筐体内に設けられて、デジタルカメラ１０と一体化されている。
【００３２】
さらに、デジタルカメラ１０は光学ファインダを備えており、デジタルカメラ１０の前面には、光学ファインダのファインダ対物窓１５１が設けられている。
【００３３】
また、デジタルカメラ１０の上面側には電源スイッチ１５２とシャッタボタン１５３とが設けられている。電源スイッチ１５２は、電源のオン状態とオフ状態とを切り替えるためのスイッチである。この電源スイッチ１５２を１回押下するたびに、オン状態とオフ状態とが順次に切り替わっていく。シャッタボタン１５３は、銀塩カメラで広く採用されているように、半押し状態（以後、Ｓ１状態と略記する）と全押し状態（以後、Ｓ２状態と略記する）とが検出可能な２段階スイッチになっている。このシャッタボタン１５３の押下によって被写体に関する画像を取得できる。
【００３４】
また、デジタルカメラ１０の側面には、インターフェース１１０が設けられている。インターフェース１１０は、たとえばＵＳＢ規格のインターフェースであり、電気的に接続されたパーソナルコンピュータやプリンタやプロジェクタ等の外部機器へ画像データを出力したり、制御信号を送受信することが可能である。この端子があるために、デジタルカメラ１０は、支持台２０と分離して単独で使用した場合でも、外部機器と接続して使用できる。
【００３５】
また、図２に図示しないデジタルカメラ１０の別の側面には、挿抜自在な記憶媒体であるメモリカード１１３(図４)を装着するカードスロットと、デジタルカメラ１０の電源となる電池を内蔵させる電池室が設けられる。カードスロットおよび電池室は、デジタルカメラ１０の筐体表面に設けられたクラムシェルタイプの蓋により開閉自在となっている。
【００３６】
一方、図３に示すように、デジタルカメラ１０の背面側には、撮影画像のモニタ表示や記録画像の再生表示等を行うための液晶モニタ１１２が設けられる。また、デジタルカメラ１０の背面側には、光学ファインダのファインダ接眼窓１５４が設けられる。操作者は、液晶モニタ１１２またはファインダ接眼窓１５４によって被写体を確認しつつ撮影を行う。
【００３７】
さらに、デジタルカメラ１０の背面側には、フラッシュモードボタン１５５が設けられる。このフラッシュモードボタン１５５を１回押下するたびに、内蔵フラッシュの制御モードが、「通常撮影モード」「書画撮影モード」「自動」の順番に循環的に切り替わってゆく。ここで、「通常撮影モード」とは比較的に遠方に位置する被写体のフラッシュ撮影に適した内蔵フラッシュの制御方法であり、「書画撮影モード」とは比較的に近傍の所定位置に載置された被写体のフラッシュ撮影に適した内蔵フラッシュの制御方法である。また、「自動」とは、結合検知部１１４によりデジタルカメラ１０と支持台２０との結合状況が検知されることによって内蔵フラッシュ制御モードが「通常撮影モード」および「書画撮影モード」のいずれかに自動的に決定されることを意味する。
【００３８】
さらに、デジタルカメラ１０の背面側には、メニューボタン１５６が設けられており、撮影モード時にメニューボタン１５６が押下されると、撮影条件を設定するためのメニュー画面が液晶モニタ１１２に表示される。
【００３９】
さらに、デジタルカメラ１０の背面側には、実行ボタン１５７と、液晶モニタ１１２における表示カーソルを４方向に移動させるための十字カーソルボタン１５８Ｕ，１５８Ｄ，１５８Ｒ，１５８Ｌで構成されるコントロールボタン１５８とが設けられる。実行ボタン１５７およびコントロールボタン１５８を用いて各種撮影パラメータの設定操作が行われる。
【００４０】
さらに、デジタルカメラ１０の背面側には、「撮影モード」と「再生モード」との間でデジタルカメラ１０の動作モードを切り替えるモード切り替えバー１５９が設けられる。モード切り替えバー１５９は、２接点のスライドスイッチであり、図３において右にセットすると、デジタルカメラ１０の動作モードは「撮影モード」に設定され、左にセットすると「再生モード」に設定される。動作モードが「撮影モード」に設定されると、ＣＣＤ１０３（後述）に結像している被写体像の画像データが比較的高速に更新されながら液晶モニタ１１２に連続的に表示される（いわゆるライブビュー表示）。また、シャッタボタン１５３の操作によって撮影を行って被写体に関する画像データを生成することが可能となる。一方、動作モードが「再生モード」に設定されると、メモリカード１１３に記録された画像データが読み出されて液晶モニタ１１２に再生表示される。再生表示される画像は、コントロールボタン１５８Ｒおよび１５８Ｌで選択可能である。
【００４１】
また、デジタルカメラ１０の底面には、支持台２０との機械的な結合に用いられる結合部１６０と、支持台２０と結合されたことを検知する結合検知部１１４(図４)と、制御信号やデジタルカメラ１０が生成した画像データを送受信するデータ送受信部１１５とが設けられる。
【００４２】
結合部１６０は導電性の金属部材からなる。該金属部材には、底面に垂直な円筒穴が形成されており、円筒穴の内面にねじ溝が切られてめねじとなっている。支持台２０のカメラ結合部２５０に設けられたおねじ２５１（後述）が、このめねじと螺合することによって、デジタルカメラ１０は支持台２０と機械的に結合される。さらに、結合部１６０は、該金属部材がデジタルカメラ１０の内部の電子回路の基準電位点（以後、ＧＮＤと略記する）と電気的に接続されており、デジタルカメラ１０と支持台２０との内部の電子回路のＧＮＤを共通にする役割も兼ねている。結合部１６０は三脚取り付け用の取り付け部として使用できるようにしてもよい。
【００４３】
結合検知部１１４およびデータ送受信部１１５は、デジタルカメラ１０と支持台２０とが機械的に結合されたときに、支持台２０に設けられた信号ピン（後述）との間で電気的な導通が得られるように構成された電気接点を備える。ここで、結合部１６０によってデジタルカメラ１０と支持部２０とのＧＮＤが共通化されているので、結合検知部１１４およびデータ送受信部１１５の電気接点は、それぞれひとつだけで構成することも可能である。
【００４４】
次に、デジタルカメラ１０の機能構成を説明する。図４は、デジタルカメラ１０の機能構成を示すブロック図である。
【００４５】
図４に示すように、デジタルカメラ１０は、被写体像を結像させる撮影レンズ１０１を備える。撮影レンズ１０１は、被写体の合焦状態を変化させるために、フォーカシングレンズが移動可能となっている。また、撮影レンズ１０１は、入射光量を変化させるために、絞りの開口径が調整可能となっている。
【００４６】
レンズ駆動部１０２は、後に詳述する全体制御部１２０から入力される制御信号に従って、フォーカシングレンズの移動および絞りの開口径の調整を行う。
【００４７】
ＣＣＤ１０３は、撮影レンズ１０１の後方適所に設けられる撮像素子である。ＣＣＤ１０３は、撮影レンズ１０１によって結像された被写体像をＲ（赤），Ｇ（緑），Ｂ（青）の各色成分の画像信号（各画素から出力された画素信号の信号列）に変換して出力する。
【００４８】
信号処理部１０４は、ＣＤＳ（相関二重サンプリング）回路およびＡＧＣ（オートゲインコントロール）回路を有し、ＣＣＤ１０３から出力される画像信号に所定の信号処理を施す。具体的には、ＣＤＳ回路により画像信号のノイズ低減が行われ、ＡＧＣ回路により画像信号のレベル調整が行われる。
【００４９】
Ａ／Ｄ変換部１０５は、信号処理部１０４から出力されるアナログの画像信号を１０ビットのデジタル信号に変換する。デジタル信号に変換された画像データは、画像処理部１０６へ出力される。
【００５０】
画像処理部１０６は、Ａ／Ｄ変換部１０５から入力された画像データに、黒レベル補正、ホワイトバランス補正およびγ補正を行う。黒レベル補正は、画像データの黒レベルを所定の基準レベルに補正する。ホワイトバランス補正は、γ補正後の画像データでホワイトバランスがとれるように、画素データのＲ，Ｇ，Ｂの各色成分のレベル変換を行うものである。このレベル変換は、全体制御部１２０から入力されるレベル変換テーブルを用いて行われる。レベル変換テーブルの変換係数は全体制御部１２０により撮影ごとに設定される。γ補正は、画素データの階調を補正するものである。なお、黒レベル補正が行われた画像データは、全体制御部１２０へも出力され、露出制御、オートフォーカス（以後、ＡＦと略記する）制御、フラッシュ制御および上述のレベル変換テーブル設定のための測光演算および測色演算に用いられる。
【００５１】
画像メモリ１０７は、画像処理部１０６で処理が終了した画像データを一時的に記憶するバッファメモリである。画像メモリ１０７は、少なくとも１フレーム分の記憶容量を有する。
【００５２】
撮影モードにおける撮影待機状態においては、ＣＣＤ１０３により所定時間間隔ごとに取得された被写体像の画像データは、信号処理部１０４、Ａ／Ｄ変換部１０５、画像処理部１０６で処理され、画像メモリ１０７に記憶される。画像メモリ１０７に記憶された画像データは、全体制御部１２０によって液晶モニタ１１２に転送されて、視認可能に表示される（ライブビュー表示）。液晶モニタ１１２に表示される画像は、上述の所定時間間隔で更新されるので、操作者は液晶モニタ１１２に表示された画像により被写体を視認することができる。ここで、撮影待機状態とは、シャッタボタン１５３がＳ１状態となる前の状態をいう。
【００５３】
また、再生モードにおいては、全体制御部１２０に接続された、不揮発性メモリを備えるメモリカード１１３から読み出された画像データが、全体制御部１２０で所定の信号処理が施された後に液晶モニタ１１２に転送されて、視認可能に表示される。
【００５４】
続いて、デジタルカメラ１０のその他の機能構成を説明する。
【００５５】
フラッシュ発光回路１０８は、全体制御部１２０の制御信号に基づいて、内蔵フラッシュ１０９にフラッシュ発光のための電力を供給する。これにより、内蔵フラッシュの発光の有無、発光タイミングおよび発光量が制御可能となる。
【００５６】
操作部１１１は、上述したフラッシュモードボタン１５５、メニューボタン１５６、実行ボタン１５７、コントロールボタン１５８、電源スイッチ１５２およびシャッタボタン１５３を包括する。操作者が操作部１１１に所定の操作を行うと、その操作内容は全体制御部１２０に伝達され、デジタルカメラ１０の動作状態に反映される。
【００５７】
結合検知部１１４は、デジタルカメラ１０と支持台２０とが結合された場合に全体制御部１２０へ結合を示す信号を出力する。たとえば、非結合時には電位がＧＮＤレベルとなっており、結合時には電位が電源電圧レベルになるように構成しておく。これは、結合検知部１１４の電気接点をＧＮＤに抵抗でプルダウンしておき、デジタルカメラ１０と支持台２０とが結合されると、該電気接点と支持台２０の信号ピン（結合時に電源電圧レベルとなるように構成しておく）との間に電気的導通が生じるような構造にしておくことによって実現できる。
【００５８】
データ送受信部１１５は、デジタルカメラ１０と支持台２０とが結合された場合に、デジタルカメラ１０の全体制御部１２０と支持台２０の全体制御部２２０との間で所定の通信方式で制御信号および画像データを送受信するために設けられる。これによって、デジタルカメラ１０で撮影して得られた画像データは、後述する支持台２０の全体制御部２２０およびインターフェース２０３を介して、例えばプロジェクタなどの表示装置３０（図９）に出力可能である。また、デジタルカメラ１０は、支持台２０に設けられた操作部２０４によっても操作可能である。
【００５９】
全体制御部１２０は、ＲＡＭ１３０およびＲＯＭ１４０を備えたマイクロコンピュータである。該マイクロコンピュータがＲＯＭ１４０に格納されたプログラム１４１を実行することにより、全体制御部１２０はデジタルカメラ１０の各部を統括的に制御する。このＲＯＭ１４０は電気的にデータの書き換えが不可能な不揮発性メモリである。なお、プログラム１４１には、上述した書画撮影モード１４１ａおよび通常撮影モード１４１ｂの両方に対応するサブルーチンが含まれており、実際の撮影時にはいずれかのサブルーチンが使用される。また、ＲＡＭ１３０の記憶領域の一部には、撮影パラメータ記憶部１３１が設けられる。撮影パラメータ記憶部１３１は、撮影に関する制御パラメータが撮影パラメータＣＰとして記憶される。
【００６０】
また、全体制御部１２０は、撮影に係るデジタルカメラ１０の動作状況を検出する検出手段として機能するとともに検出されたデジタルカメラ１０の動作状況は、支持台２０の全体制御部２２０に送られて照明部２０５に対する制御に利用されることとなる（後で詳述）。
【００６１】
図４の全体制御部１２０のブロック内に図示される露出制御部１２１、ＡＦ制御部１２２、フラッシュ制御部１２３、自動ホワイトバランス（以後、ＡＷＢと略記する）制御部１２４および撮影モード決定部１２５は、全体制御部１２０によって実現される機能の一部を機能ブロックとして模式的に示したものである。
【００６２】
露出制御部１２１は、画像データの輝度が適正になるようにプログラム１４１に基づいて露出制御を行う。具体的には、信号処理部１０４において黒レベル補正が終了した画像データを取得して輝度を算出し、この輝度に基づいて適正露出となる絞り値およびシャッタスピードを決定する。続いて、決定された絞り値となるように、レンズ駆動部１０２に制御信号が出力され、撮影レンズ１０１の絞りの開口径が調整される。さらに、決定されたシャッタスピードに相当する露光時間だけ電荷蓄積が行われるように、ＣＣＤ１０３を制御する。
【００６３】
ＡＦ制御部１２２は、被写体像がＣＣＤ１０３の撮像面に結像するようにプログラム１４１に基づいてフォーカス制御を行う。具体的には、レンズ駆動部１０２に制御信号を出力してフォーカシングレンズを移動させながら、信号処理部１０４において黒レベル補正が終了した画像データを取得してコントラストを算出し、コントラストが最も高くなる位置にフォーカシングレンズを移動させる。すなわち、ＡＦ制御部１２２は、コントラスト方式のＡＦ制御を行っている。
【００６４】
フラッシュ制御部１２３は、ライブビュー表示の画像データから輝度を算出して、フラッシュ発光の要否を判定する。また、フラッシュ発光を行う場合は、内蔵フラッシュの発光量が適正になるようにプログラム１４１に基づいてフラッシュ調光制御を行う。具体的には、フラッシュ発光回路１０８に制御信号を出力して、所定のフラッシュ発光量（プリ発光量）でプリ発光を行うとともに、信号処理部１０４において黒レベル補正が終了した画像データを取得して輝度を算出する。さらに、算出された輝度から記憶用の画像データを取得する本撮影時のフラッシュ発光量（本発光量）を決定する。
【００６５】
ＡＷＢ制御部１２４は、画像データのホワイトバランスが適正となるようにプログラム１４１に基づいてホワイトバランス制御を行う。具体的には、信号処理部１０４において黒レベル補正が終了した画像データを取得し色温度を算出して、画像処理部１０６のホワイトバランス補正で使用されるレベル変換テーブルを決定して、画像処理部１０６へ出力する。
【００６６】
なお、撮影時に使用される露出制御値、ＡＦ制御値、フラッシュ制御値およびＡＷＢ制御値は、撮影パラメータＣＰとして、撮影パラメータ記憶部１３１に記憶可能である。
【００６７】
撮影モード決定部１２５は、操作部１１１のフラッシュモードボタン１５５および結合検知部１１４の検知結果に基づいて、「書画撮影モード」および「通常撮影モード」のいずれを使用するのかを決定する。撮影モードが決定されると、実際の撮影時には、プログラム１４１に含まれる対応するサブルーチンを用いて撮影が行われることになる。
【００６８】
＜支持台の構成＞
図５は、支持台２０の外観構成を示す斜視図である。
【００６９】
図５に示すように、支持台２０は、デジタルカメラ１０の結合箇所となるカメラ支持部２５０を備える。カメラ支持部２５０は、伸縮可能な支柱２６０と接続され、被写体載置用スペースＰから一定距離だけ上方に離れた位置に支持されている。一方、照明部２０５も、支柱２６０によって被写体載置用スペースＰから一定距離だけ上方に離れた位置に支持される。
【００７０】
支柱２６０は、被写体載置用スペースＰの近傍で同一平面内（以後、被写体載置面と略記する）に配置されているＬ型の台座２７０と、接続部２８０によって被写体載置面との角度を可変可能に接続されている。
【００７１】
次に、カメラ支持部２５０の詳細について、図６の斜視図を参照しながら説明する。カメラ支持部２５０は、デジタルカメラ１０の結合部１６０のめねじと螺合可能なおねじがきられた結合ねじ２５１を備える。この結合部１６０によって、デジタルカメラ１０は、支持台２０に対して着脱可能に接続できる。結合ねじ２５１は、結合部２５２に設けられた貫通穴に挿通されており、結合部２５２に対して回転可能である。このため、結合ねじ２５１においてデジタルカメラ１０との結合端の反対端に設けられたつまみ（図６には図示せず）を回転させることによって、デジタルカメラ１０と支持台２０とを結合可能である。さらに、結合ねじ２５１は導電性の金属部材からなり、支持台２０の内部の電子回路のＧＮＤと電気的に接続されている。このため、上述したように、デジタルカメラ１０および支持台２０の内部の電子回路のＧＮＤは、結合時には共通となる。
【００７２】
さらにカメラ支持部２５０は、結合検知部２０１およびデータ送受信部２０２を備える。結合検知部２０１およびデータ送受信部２０２は、結合部２５２に設けられた穴から突出した信号ピンを備える。該信号ピンは、圧力を印加することによって結合部２５２に設けられた穴へ所定長さ分だけ圧入可能である。また、該信号ピンは、印加している圧力を取り除けば、圧入した長さ分が再度突出して元の形状が復元するように、バネ等の弾性部材を用いて付勢されている。また、結合検知部２０１およびデータ送受信部２０２の信号ピンは、それぞれ、デジタルカメラ１０と支持台２０とを結合したときに、デジタルカメラ１０の結合検知部１１４およびデータ送受信部１１５の電気接点と電気的な導通が得られる位置に設けられる。これらの構成によって、デジタルカメラ１０の結合部１６０のめねじとカメラ支持部２５０の結合ねじ２５１との螺合が深くなるにつれて、結合部２５２から突出している信号ピンは、デジタルカメラ１０の電気接点と電気的な導通を維持しながら、結合部２５２に設けられた穴に圧入されてゆくことになる。さらに、結合検知部２０１は、その信号ピンが所定長さだけ圧入されると、デジタルカメラ１０と支持台２０とが結合されたことを示す信号を出力する。たとえば、信号ピンが所定長さだけ圧入されると、内部に設けられたスイッチによって、信号ピンの電位が電源電圧レベルになるように構成しておく。
【００７３】
続いて、支柱２６０について説明する。支柱２６０は、被写体載置面との角度を図５中の矢印Ｒ１で示すように可変であり、そのための駆動機構として支柱駆動機構２０７を備える。また、被写体載置面との角度θ１は、支柱角度センサ２１０（図５には図示せず）によって検出可能である。支柱駆動機構２０７は、図７の断面図に詳細に示すように、駆動力源であるモータＭ１と、複数の平歯車を備える歯車列ＧＴ１とを備える。歯車列ＧＴ１は、モータＭ１の原動軸ＳＦ１の回転運動を従動軸ＳＦ２へ伝達する。従動軸ＳＦ２は、支柱２６０の台座２７０との接続端に設けられた貫通穴に挿通されている。また、従動軸ＳＦ２は、接続部材２８０に固定されている。したがって、モータＭ１に電力が供給されて駆動力が発生すると、発生した駆動力は原動軸ＳＦ１から従動軸ＳＦ２に伝達され、支柱２６０が被写体載置面となす角度θ１が変化することになる。これにより、書画撮影モード時における被写体ＯＢの画角調整を任意に行うことが可能となる。
【００７４】
また、支柱２６０は、図７に示すように、回転機構ＴＢを介して基台として働く台座２７０と連結している。これにより、支柱２６０は、台座２７０に対して手動で回転軸ＫＢを中心とした回動が可能となる。
【００７５】
さらに、支柱２６０は、その長さを変化させるための支柱伸縮機構２０８を備える。支柱２６０は、径の異なる管状部材２６０ａおよび２６０ｂからなり、カメラ支持部２５０が取り付けられる管状部材２６０ａは、台座２７０と接続される管状部材２６０ｂに緩挿されている。また、支柱の長さＬは、支柱長さセンサ２１１（図５には図示せず）によって検出可能である。支柱伸縮機構２０８は、図８の斜視図に詳細に示すように、駆動力源であるモータＭ２と、複数の傘歯車を備える歯車列ＧＴ２とを備える。歯車列ＧＴ２は、モータＭ２の原動軸ＳＦ３の回転運動を従動軸ＳＦ４へ伝達する。従動軸ＳＦ４は、表面にねじが切られておねじとなっており、管状部材２６０ａに固定されためねじと螺合可能となっている。したがって、モータＭ２に電力が供給されて駆動力が発生すると、発生した駆動力は原動軸ＳＦ１から従動軸ＳＦ２に伝達され、上述のおねじとめねじとの螺合の度合いが変化する。これにより、支柱２６０の長さＬが変化することになり、書画撮影モード時における被写体ＯＢの画角調整を任意に行うことが可能となる。
【００７６】
また、支柱２６０は、被写体載置用スペースＰに載置された被写体ＯＢを照明可能な照明部２０５を備えている。この照明部２０５は、照明窓２０５ｗから被写体載置用スペースＰなどに向けて光を照射する。照明部２０５については、後で詳述する。
【００７７】
続いて、台座２７０について説明する。台座２７０には、インターフェース２０３が設けられる。インターフェース２０３は、ディスプレイインターフェースを含み、電気的に接続されたプロジェクタ等の表示装置３０に生成した画像データを出力可能である。
【００７８】
また、台座２７０は、原稿明るさ検出部２０６を備える。原稿明るさ検出部２０６は、ホトトランジスタ等の光センサから構成される。原稿明るさ検出部２０６は、被写体載置用スペースＰからの光を検出して、その輝度に応じた信号を出力する機能を有する。これにより、原稿明るさ検出部２０６は、被写体載置用スペースＰに被写体ＯＢが載置されたか否かを検出する手段として機能する。具体的には、被写体ＯＢを載置する前の被写体載置用スペースＰの輝度情報を初期データとして記憶しておき、被写体ＯＢが載置された場合の輝度情報との変化によって検知する。なお、被写体載置用スペースＰと被写体ＯＢとの輝度が近い場合には、被写体ＯＢに関する専用台（原稿台）を用い、その上に被写体ＯＢをセットして被写体ＯＢの有無を検知するのが好ましい。
【００７９】
また、台座２７０は、操作部２０４を備える。この操作部２０４は、複数のボタン群、具体的にはデジタルカメラ１０の操作部１１１より多くのボタン(操作部材)を備える。デジタルカメラ１０と支持台２０の結合時には、これらのボタンはデジタルカメラ１０に設けられた操作部１１１と同等の機能を有する。このため、結合時には、デジタルカメラ１０に触れることなく、台座２７０の操作部２０４の操作によって、デジタルカメラ１０における撮影および設定操作などの全ての操作が可能である。
【００８０】
次に、支持台２０の機能構成を説明する。図９は、支持台２０の機能構成を示すブロック図である。図９に示すように、支持台２０は、支持台２０の各部の動作を統括制御する全体制御部２２０を備える。全体制御部２２０は、ＲＡＭ２３０およびＲＯＭ２４０を備えたマイクロコンピュータである。該マイクロコンピュータがＲＯＭ２４０に格納されたプログラム２４１を実行することにより、全体制御部２２０は支持台２０の各部を統括的に制御する。なお、ＲＯＭ２４０は電気的にデータの書き換えが不可能な不揮発性メモリである。
【００８１】
結合検知部２０１は、デジタルカメラ１０と支持台２０とが結合された場合に全体制御部２２０およびデジタルカメラ１０の結合検知部１１４へ結合を示す信号を出力する。たとえば、非結合時には電位がＧＮＤレベルとなっており、結合時には電位が電源電圧レベルになるように構成しておく。
【００８２】
データ送受信部２０２は、デジタルカメラ１０と支持台２０とが結合された場合に、デジタルカメラ１０の全体制御部１２０と支持台２０の全体制御部２２０との間で所定の通信方式で制御信号および画像データを送受信するために設けられる。これによって、デジタルカメラ１０で撮影して得られた画像データは、後述する支持台２０の全体制御部２２０およびインターフェース２０３を介してプロジェクタ等の表示装置３０に出力可能である。また、デジタルカメラ１０は、支持台２０に設けられた操作部２０４によっても操作可能である。
【００８３】
支持台２０には操作部２０４が設けられており、操作した内容は全体制御部２２０に入力され、支持台２０の動作状態に反映される。また、操作部２０４の操作は、全体制御部２２０および後述するデータ送受信部２０２を介してデジタルカメラ１０の全体制御部１２０にも転送可能である。これにより、上述したように、操作部２０４の操作によって、デジタルカメラ１０の撮影および設定操作も可能である。
【００８４】
照明部２０５は、全体制御部２２０の制御信号に基づいて点灯する。より具体的には、操作者が操作部２０４に対して所定の操作を行うと、全体制御部２２０から照明部２０５を点灯させるための制御信号が出力されて、照明部２０５が点灯する。
【００８５】
原稿明るさ検出部２０６は、被写体載置用スペースＰからの光を検出して、その輝度に応じた信号を全体制御部２２０へ出力する。これにより、デジタルカメラ１０と支持台２０とが結合された場合には、支持台２０のみならずデジタルカメラ１０でも、被写体載置用スペースＰに載置された被写体ＯＢの輝度情報を取得できることとなる。
【００８６】
支柱駆動機構２０７および支柱伸縮機構２０８は、全体制御部２２０から出力される制御信号に基づいて駆動される。これらの制御信号は、操作者が操作部２０４に所定の操作を行った場合やデジタルカメラ１０から指示が与えられた場合に出力される。
【００８７】
支柱角度センサ２１０および支柱長さセンサ２１１の検出結果は、全体制御部２２０に出力されて、ＲＡＭ１３０に設けられた撮影パラメータ記憶部１３１に保持される。
【００８８】
電池２１３は、支持台２０の各部に電源を供給する。
【００８９】
次に、照明部２０５について詳しく説明する。
【００９０】
＜照明部２０５について＞
図１０は、照明部２０５を説明するための図である。ここで、図１０(ａ)は、照明部２０５の構成を模式的に示す図であり、図１０(ｂ)および図１０(ｃ)は、照明部２０５の動作を説明するための図である。
【００９１】
照明部２０５は、照明光を発する光源３１と、２枚のパネル３２(３２ａ、３２ｂ)と、プレート３３と、ミラー３４とを備えている。また、照明部２０５は、ＡＦ補助光としての照明やモデリングランプとしての照明など、照明状態が変更可能に構成されている（後で詳述）。
【００９２】
プレート３３は、スリット状のパターンを有する板状部材である。また、プレート３３は、方向Ｄ２に沿ってスライド可能な構成となっており、オートフォーカス(ＡＦ)時のみパネル３２ｂの前方を覆うように移動させる。このＡＦ時には、例えば図１０(ｂ)に示すように縞模様状の投光パターンＰＴで被写体ＯＢを照明するＡＦ補助光を照射して、デジタルカメラ１０でのＡＦを適切に行えるようになっている。
【００９３】
ミラー３４は、方向Ｄ３に沿ってスライド可能な構成となっており、パネル３２ｂの前方にセットされる場合には、照明光の反射によって支持台２０の操作部２０４を照明するモデリングランプとして照明部２０５が機能する。一方、ミラー３４がパネル３２ｂの前方に存在しない状態は、撮影用の照明として照明部２０５が働くこととなる。
【００９４】
２枚のパネル３２は、レンズとして機能するもので、方向Ｄ１に沿って相対的に移動でき、互いの間隔を変更できるようになっている。
【００９５】
照明部２０５では、図１０(ｃ)に示す照明エリアＥ１のように、通常は被写体ＯＢの全体を照明する。この通常の照明では、例えば被写体ＯＢがＡ４サイズの原稿である場合に、これを収めるように設定(初期設定)される照明エリアを照明する。
【００９６】
一方、デジタルカメラ１０がズーミングされた場合には、撮影エリアが縮小するため、これに連動するようにパネル３２を駆動して照明範囲を例えばエリアＥ１からエリアＥ２(図１０(ｃ))に絞り込む動作を行う。すなわち、撮影レンズ１０１に係る焦点距離の状況を検出し、この焦点距離の状況つまりズーム倍率の状況に応じて、照明部２０５の投光角を変化させる動作が行われる。なお、上記の照明エリアの変更については、既に一眼レフの外部フラッシュなどで用いられている公知の手法を利用する。
【００９７】
上記のデジタルカメラ１０の焦点距離と照明部２０５の照明エリアとの関係の一例を、図１１に示す。この図１１の横軸は、デジタルカメラ１０の焦点距離を示しており、縦軸は、照明部２０５の照明エリアの径を示している。
【００９８】
このように撮影システム１では、デジタルカメラ１０の焦点距離が小さくなれば照明エリアの径を大きくする、つまりデジタルカメラ１０のズーム倍率に応じて照明エリアの面積を変化させる。具体的には、パネル３２ａとパネル３２ｂとの相対距離を変更することによって照明エリアを変化させるが、これによりズーム操作が行われデジタルカメラ１０で撮影される被写体ＯＢの範囲が変化する場合でも、その撮影範囲を狙った効率の良い照明を行うことができる。
【００９９】
また、上述したように支柱２６０の長さＬは、支柱伸縮機構２０８により変更できるようになっている。例えば図１２のように、支柱２６０が伸張して、デジタルカメラ１０が位置ＴＴ１から位置ＴＴ２に変化した場合には、被写体ＯＢの撮影範囲が撮影エリアＥｓ１から撮影エリアＥｓ２に変化する。そこで、照明部２０５の照明範囲が撮影エリアＥｓ２を包含するように、照明エリアＥ３を照明エリアＥ４(破線で示す)に変更するように照明部２０５を制御する。この場合、撮影システム１では、デジタルカメラ１０から被写体ＯＢまでの距離の計測状況、具体的には支柱長さセンサ２１１によって支柱２６０の伸縮度合いを検出し、この計測状況に応じて、照明部２０５の投光角を変化させる。
【０１００】
このように支柱２６０の伸縮に応じて撮影エリアが変化する場合には、照明エリアを縮小または拡大させる制御を行うことにより、デジタルカメラ１０の撮影エリアを適切に照明できることとなる。例えば、支柱伸縮機構２０８による支柱２６０の長さＬの変更によって、被写体ＯＢの大きさに応じたデジタルカメラ１０の撮影エリアの調整が可能であるが、上述したＡ４サイズの被写体ＯＢが丁度収まる照明範囲の初期状態を基準とした撮影エリアの変化度合いを、全体制御部２２０で算出し、被写体載置用スペースＰに載置される被写体ＯＢの大きさに適した照明範囲で照明できることとなる。
【０１０１】
以上のように、支柱２６０が伸縮や傾き、回転することにより被写体ＯＢに対するデジタルカメラ１０の撮影エリアが変化する場合であっても、この変化に対応した照明エリアを設定して適切に照明できることとなる。
【０１０２】
また、撮影システム１では、書画撮影モードでのデジタルカメラ１０の動作状況に応じて、照明部２０５の照明状態を変化させるが、これを以下で説明する。
【０１０３】
図１３は、撮影システム１の動作状況を説明するためのフローチャートである。
【０１０４】
まず、電源がオンされると(ステップＳＰ１)、例えばプロジェクタなどの表示装置３０に被写体のライブビュー表示が行われる(ステップＳＰ２)。この場合、照明部２０５では、ミラー３４がパネル３２ｂの前方にセットされ支持台２０の操作部２０４を照明するモデリングランプとしての照明が行われる。
【０１０５】
次に、原稿明るさ検出部２０６によって被写体ＯＢが被写体載置用スペースＰにセットされたことが検出された場合(ステップＳＰ３)には、照明部２０５のミラー３４を移動させて被写体ＯＢを照明する(ステップＳＰ４)。具体的には、ミラー３４が光源３１の光路から外れるように移動させてパネル３２ｂの前方からミラー３４を除去し、撮影用の照明に切替える。
【０１０６】
そして、シャッタボタン１５３が半押しされた場合(Ｓ１状態)には、ステップＳＰ５のようにＡＦ動作が行われるが、この状況では照明部２０５により図１０(ｂ)に示す投光パターンＰＴで被写体ＯＢが照明される。
【０１０７】
その後、シャッタボタン１５３が全押しされた場合(Ｓ２状態)には、デジタルカメラ１０によるキャプチャー動作が行われる(ステップＳＰ６)。この場合、照明部２０５では、被写体ＯＢを照らす撮影用の照明が行われる。なお、照明部２０５で照明しても被写体ＯＢの明るさが不足する場合には、フラッシュ１０９を発光させるようにしても良い。
【０１０８】
そして、ステップＳＰ６でキャプチャーされた被写体ＯＢの画像は、表示装置３０に送信されて表示される(ステップＳＰ７)が、この時には、照明部２０５においてミラー３４を移動させて支持台２０の操作部２０４を照明する(ステップＳＰ８)。具体的には、照明部２０５のミラー３４をパネル３２ｂの前方にセットして支持台２０の操作部２０４を照明するモデリングランプとしての照明に切替えられる。この場合、原稿明るさ検出部２０６によって被写体載置用スペースＰに被写体ＯＢが載置されているか除去されているかを判断、つまり被写体ＯＢが載置されずデジタルカメラで撮影が行われない状況であるか否かを検出し、デジタルカメラ１０で撮影が行われていない状況に移行した場合には、照明部２０５の投光方向が変更されることとなる。
【０１０９】
また、被写体ＯＢが被写体載置用スペースＰから取り除かれた場合(ステップＳＰ９)には、ステップＳＰ２に戻り、ライブビュー表示が行われる。
【０１１０】
以上のようにデジタルカメラ１０の動作状態に応じた照明部２０５での照明を行うことによって、様々な状況において適切な照明を行えることとなる。
【０１１１】
＜撮影システム１の動作＞
次に、撮影システム１の動作を以下で説明するが、デジタルカメラ１０の動作と支持台２０の動作に分けて説明する。
【０１１２】
図１４は、デジタルカメラ１０の基本的な動作を示すフローチャートである。この動作は、デジタルカメラ１０の全体制御部１２０によって実行される。
【０１１３】
ステップＳＴ１では、結合検知部１１４によりデジタルカメラ１０が支持台２０にセットされたことを検知したかを判定する。ここで、セットされている場合には、ステップＳＴ２に進み、セットされていない場合には、ステップＳＴ１を繰り返す。
【０１１４】
ステップＳＴ２では、書画撮影モードに設定される。
【０１１５】
ステップＳＴ３では、支持台２０から、後述する照明データを受信したかを判定する。ここで、照明データを受信している場合には、ステップＳＴ４に進み、受信してない場合には、ステップＳＴ３を繰り返す。
【０１１６】
ステップＳＴ４では、支持台２０から受信した照明データを、ＲＡＭ１３０に保存する。
【０１１７】
ステップＳＴ５では、原稿などの被写体ＯＢが被写体載置用スペースＰに載置されたことを表す載置信号を支持台２０から受信したかを判定する。ここで、載置信号を受信している場合には、ステップＳＴ６に進み、受信していない場合には、ステップＳＴ５を繰り返す。
【０１１８】
ステップＳＴ６では、操作者によりシャッタボタン１５３が押下(全押し)されたかを判定する。ここで、シャッタボタン１５３が押下された場合には、ステップＳＴ７に進み、押下されていない場合には、ステップＳＴ６を繰り返す。
【０１１９】
ステップＳＴ７では、シャッタボタン１５３が押下された旨を支持台２０に送信する。
【０１２０】
ステップＳＴ８では、撮影を行い、被写体ＯＢの画像データを取得する。
【０１２１】
ステップＳＴ９では、ステップＳＴ８で取得した画像データに対して、画像処理部１０６で画像処理を行う。
【０１２２】
ステップＳＴ１０では、画像表示信号を支持台２０に送信する。
【０１２３】
ステップＳＴ１１では、ステップＳＴ９で画像処理された画像データを、支持台２０に送信する。
【０１２４】
ステップＳＴ１２では、被写体ＯＢが被写体載置用スペースＰから取り除かれたことを表す除去信号を支持台２０から受信したかを判定する。ここで、除去信号を受信している場合には、ステップＳＴ５に戻り、受信していない場合には、ステップＳＴ１２を繰り返す。
【０１２５】
図１５は、支持台２０の基本的な動作を示すフローチャートである。この動作は、支持台２０の全体制御部２２０によって実行される。
【０１２６】
ステップＳＴ２１では、支柱角度センサ２１０による支柱の角度θ１、および支柱長さセンサ２１１による支柱の長さＬが検知されたかを判定する。ここで、支柱の角度θ１および支柱の長さＬが検知された場合には、ステップＳＴ２２に進み、検知されていない場合には、ステップＳＴ２１を繰り返す。
【０１２７】
ステップＳＴ２２では、ステップＳＴ２１で検知された支柱の角度θ１および支柱の長さＬに基づき、撮影時に最適な照明エリアを算出する。例えば図１２に示すようにデジタルカメラ１０の撮影エリアを適切に包含する照明エリアが導出される。
【０１２８】
ステップＳＴ２３では、ステップＳＴ２２で算出された撮影時に最適な照明エリアのデータ（照明データ）をデジタルカメラ１０に送信する。
【０１２９】
ステップＳＴ２４では、照明部２０５においてライブビュー用の照明、例えばモデリングランプとしての照明に切替える。
【０１３０】
ステップＳＴ２５では、原稿明るさ検出部２０６により、被写体載置用スペースＰへの被写体ＯＢの載置が検出されたかを判定する。ここで、載置が検出された場合には、ステップＳＴ２６に進み、検出されていない場合には、ステップＳＴ２５を繰り返す。
【０１３１】
ステップＳＴ２６では、デジタルカメラ１０に被写体ＯＢが載置されたことを載置信号により通知する。
【０１３２】
ステップＳＴ２７では、デジタルカメラ１０のシャッタボタン１５３が押下された旨の信号を受信したかを判定する。ここで、シャッタボタン１５３の押下信号を受信した場合には、ステップＳＴ２８に進み、受信していない場合には、ステップＳＴ２７を繰り返す。
【０１３３】
ステップＳＴ２８では、照明部２０５において撮影用の照明に切替える。
【０１３４】
ステップＳＴ２９では、画像表示信号をデジタルカメラ１０から受信したかを判定する。ここで、画像表示信号を受信した場合には、ステップＳＴ３０に進み、受信していない場合には、ステップＳＴ２９を繰り返す。
【０１３５】
ステップＳＴ３０では、照明部２０５において画像表示用の照明（例えばモデリングランプ）に切替える。この際には、ステップＳＴ１１でデジタルカメラ１０から送信された画像データが、全体制御部２２０のＲＡＭ２３０に記憶されるとともに、表示装置３０に伝送され、撮影された被写体ＯＢの画像が表示される。
【０１３６】
ステップＳＴ３１では、原稿明るさ検出部２０６によって、被写体載置用スペースＰから被写体ＯＢが除去されたことが検出されたかを判定する。ここで、除去が検出された場合には、ステップＳＴ３２に進み、検出されていない場合には、ステップＳＴ３１を繰り返す。
【０１３７】
ステップＳＴ３２では、被写体ＯＢが被写体載置用スペースＰから取り除かれたことを示す除去信号をデジタルカメラ１０に送信する。
【０１３８】
ステップＳＴ３３では、照明部２０５においてライブビュー用の照明、例えばモデリングランプとしての照明に設定する。この場合には、デジタルカメラ１０で取得されるライブビュー画像を表示装置３０に伝送してライブビュー表示が行われる。
【０１３９】
以上で説明した撮影システム１の動作により、デジタルカメラ１０の動作状況に応じて照明部２０５の照明制御を行うため、撮影システム１を操作する操作者の負担を軽減できる。
【０１４０】
＜変形例＞
◎上記の実施形態については、ライブビュー表示において、照明部２０５をモデリングランプとして機能させるのは必須でなく、照明部２０５の照明をオフにしたり、ＡＦ補助光で照明するようにしても良い。
【０１４１】
また、プロジェクタなどに撮影画像を表示する場合に、照明部２０５をモデリングランプとして機能させるのは必須でなく、照明部２０５の照明をオフするようにしても良い。
【０１４２】
◎上記の実施形態においては、インターフェース２０３を介して支持台２０の外部のプロジェクタ(表示装置)に画像を出力するのは必須でなく、パーソナルコンピュータやプリンタなどの外部機器に出力しても良い。
【０１４３】
◎上記の実施形態における照明部については、支持台の支柱の伸縮に連動して被写体からの距離が変化するような構成としても良い。この場合、被写体からの距離の変化に伴って被写体に対する照明エリアも変更されるが、照明部の投光角を制御することで適切な照明を提供できることとなる。
【図面の簡単な説明】
【０１４４】
【図１】本発明の実施形態に係る撮影システム１の全体構成を示す図である。
【図２】デジタルカメラ１０の外観構成を示す図である。
【図３】デジタルカメラ１０の外観構成を示す図である。
【図４】デジタルカメラ１０の機能構成を示すブロック図である。
【図５】支持台２０の外観構成を示す斜視図である。
【図６】カメラ支持部２５０を説明するための図である。
【図７】支柱駆動機構２０７を説明するための断面図である。
【図８】支柱伸縮機構２０８を説明するための斜視図である。
【図９】支持台２０の機能構成を示すブロック図である。
【図１０】照明部２０５を説明するための図である。
【図１１】デジタルカメラ１０の焦点距離と照明部２０５の照明エリアとの関係を示す図である。
【図１２】支柱２６０の伸縮に応じた照明部２０５の照明制御について説明する図である。
【図１３】撮影システム１の動作状況を説明するためのフローチャートである。
【図１４】デジタルカメラ１０の基本的な動作を示すフローチャートである。
【図１５】支持台２０の基本的な動作を示すフローチャートである。
【符号の説明】
【０１４５】
１  撮影システム
１０  デジタルカメラ
２０  支持台
３２、３２ａ、３２ｂ  パネル
３３  プレート
３４  ミラー
１５３  シャッタボタン
１６０  結合部
２０３  インターフェース
２０４  操作部
２０５  照明部
２０６  原稿明るさ検出部
２０７  支柱駆動機構
２０８  支柱伸縮機構
２５０  カメラ支持部
２６０  支柱
２７０  台座
Ｅ１〜Ｅ４  照明エリア
Ｅｓ１、Ｅｓ２  撮影エリア
Ｐ  被写体載置用スペース
ＯＢ  被写体
ＰＴ  ＡＦ補助光の投光パターン
【図１】
2005062753.tif 000003
【図２】
2005062753.tif 000004
【図３】
2005062753.tif 000005
【図４】
2005062753.tif 000006
【図５】
2005062753.tif 000007
【図６】
2005062753.tif 000008
【図７】
2005062753.tif 000009
【図８】
2005062753.tif 000010
【図９】
2005062753.tif 000011
【図１０】
2005062753.tif 000012
【図１１】
2005062753.tif 000013
【図１２】
2005062753.tif 000014
【図１３】
2005062753.tif 000015
【図１４】
2005062753.tif 000016
【図１５】
2005062753.tif 000017